(57)【要約】【課題】軽量で携帯に便利、且つ組合せの変化が無数にあり、容易に開けられない電路板式の回路キー構造を提供する。【解決手段】電路板式の回路キー構造は、キー本体に第一面と第二面を具え、前段の差込段には第一面の連接点と第二面の接触点が複数連通して設置され、連接点と接触点は相対して連通する。またどのような方式規則もしくは不規則の配列でもよい。更に第一面の各連接点の間には連接線を具え、二個もしくはそれ以上の連接点を連通させ、もしくは数個の連接点を連通させない。この連接線の方式は水平、垂直もしくは傾斜でもよく、第二面の接触点は連接線を具えない。使用するシリンダーにはキー本体の第二面接触点と相対する連通部を具える。【選択図】図１
0003117322.tif 000002
【実用新案登録請求の範囲】
【請求項１】
キー本体に第一面と第二面を具える電路板式の回路キー構造において、
前段の差込段に第一面と複数連通する連接点と、第二面の接触点を設置し、連接点と接触点は相対して通じ、且つ第一面の各連接点の間には複数本の連接線を具え、その連接線は二個または二個以上の連接点と通じ、もしくは通じない連接点を形成し、
シリンダー内部にキー本体の第二面の接触点と相対する連通部３１を具え、キー本体に差し込むが、差込段をシリンダーの孔槽に挿入すると、各連通部は相対する接触点と接触し、キー本体の連接線は各連接点と正確に接触した時、シリンダーが開くことを特徴とする電路板式の回路キー構造。
【請求項２】
前記キー本体は、遮蔽蓋を使用し、その遮蔽蓋は、第一面の連接点と連接線を被せ、各連接点と連接線との関係を覆ってわからないようにすることを特徴とする請求項１記載の電路板式の回路キー構造。
【請求項３】
前記キー本体は、遮蔽蓋層を貼り付けて使用し、その遮蔽蓋層は、第一面の連接点と連接線を被せ、各連接点と連接線との関係を覆ってわからないようにすることを特徴とする請求項１記載の電路板式の回路キー構造。
【請求項４】
前記キー本体は、その連接方式が水平、垂直、傾斜で連接されることを特徴とする請求項１記載の電路板式の回路キー構造。
【請求項５】
前記キー本体上の連接点と接触点は、どのような方式の規則もしくは不規則の配列でもよいことを特徴とする請求項１記載の電路板式の回路キー構造。
【考案の詳細な説明】
【技術分野】
【０００１】
本考案は、電路板式の回路キー構造に関するもので、軽量で携帯に便利、且つ組合せの変化が無数にあり、不法に開けられないものである。
【背景技術】
【０００２】
一般のキーは、形状に係わりなくキー上に異なる深さの刻みを設置する。これをシリンダー内部に差し込むと、内部に同じく大小異なるピンタンブラーが変化し、シリンダー内部と正確に合うと回転して開く。しかしながら、この種の方式は、刻みの変化が少ないため、簡単に開けられてしまう。
【０００３】
またナンバーキーは、番号位置を合わす方式で、鍵を開ける。この方法は、使用しやすいが、短時間内に番号を見破られる可能性が高く、安全性に欠ける。
【０００４】
リモコンキー及び電子キーは、安全性が高い。しかし、特に電子キーは体積が大きく、携帯するのに不便である。電子キーの安全性は高いのだが、特殊な機器で複製しなければならないため、使用者にとっては不便でコストもかかる。リモコンキー及び電子キーはどちらも電池を入れて使用するため、電池の電源がなくなったり、接触不良を起こしたりしやすく、開けられないこともある。
【考案の開示】
【考案が解決しようとする課題】
【０００５】
解決しようとする問題点は、簡単に見破られたり、簡単に開けられたりしやすく、反対に電子キーのように安全性を高めると、携帯に不便な点である。
【課題を解決するための手段】
【０００６】
本考案は、キー本体に第一面と第二面を具え、前段の差込段には第一面の連接点と第二面の接触点が複数連通して設置され、連接点と接触点は相対して連通する。またどのような方式規則もしくは不規則の配列でもよい。更に第一面の各連接点の間には連接線を具え、二個もしくはそれ以上の連接点を連通させ、もしくは数個の連接点を連通させない。この連接線の方式は水平、垂直もしくは傾斜でもよく、第二面の接触点は連接線を具えない。使用するシリンダーにはキー本体の第二面接触点と相対する連通部を具えることを最も主要な特徴とする。
【考案の効果】
【０００７】
本考案の電路板式の回路キー構造は、軽量で携帯に便利であり、且つ無数の組合せにより不法に開けられることがないという利点がある。
【考案を実施するための最良の形態】
【０００８】
図１，２，３，４に示すとおり、主にキー本体１０、遮蔽蓋２０及び相対するシリンダー３０を使用する。キー本体１０は、第一面１１と第二面１２を具え、前段の差込段１３には第一面１１の連接点１４と第二面１２の接触点１５が複数連通して設置され、連接点１４と接触点１５は相対して通じ、どのような方式もしくは不規則の配列でもよい。更に第一面１１の各連接点１４の間には数本の連接線１６があり、二もしくはそれ以上の連接点１４を連通させるか、もしくはそのうちの数個の連接点１４を連通させないようにする。この連接線１６の方式は、水平、垂直もしくは傾斜でもよい。第二面１２の接触点１５は連接線１６を具えない。遮蔽蓋２０は、第一面１１の連接点１４と連接線１６に被せ、各接触点１４に繋いだ連接線１６が表から見えないようにする。
【０００９】
使用時、図５、６に示すとおり、シリンダー３０内部には、キー本体１０第二面１２の接触点１５に相対する連通部３１を具えるが、差込段１３をシリンダー３０の孔槽３２に挿入すると、各連通部３１は相対する接触点１５と接触し、またシリンダー３０箇所の各連通部３１もまたキー本体１０第一面１１上の連接線１６と関連して設置される。差し込んだキー本体１０の連接線１６は正確に各連接点１４に設置されると、シリンダー３０が開く。
【００１０】
上述の実施例の構造によって、下述の効果を具える。
キー本体１０はシリンダー３０を開けるキーとし、第一面１１上の連接点１４を使用する。各連接点１４の間には連接線１６が設置され、また連接点１４はその他の連接点１４と通じなくてもよく、もしくは二つ以上の連接点１４が連接線１６によって、その他の連接点１４と通じてもよい。この種の組み合わせ変化は大きく、且つ連接点１４を異なる位置に設置することにより、無数の組み合わせが可能となる。図７、８に示すとおり、不法に開かれることは困難になり、更にキー本体１０の構造は軽量であるため、数が多くなっても携帯や収納の負担にならない。
キー本体１０には、連接線１６を設置する第一面１１に遮蔽蓋２０が設置され、これによって、各連接点１４と連接線１６の関係が表に出ず、非法な複製を防止し、プリントもしくは遮蔽蓋層を貼り付けてもよい。
連接点１４と連接線１６の結合関係を利用して開閉するため、連接点１４と連接線１６の関係は絶対で、何度も複製しやすく、一般的なキーを複製する時に発生する公差がない。
【図面の簡単な説明】
【００１１】
【図１】本考案の立体組立図である。
【図２】本考案の別角度からの立体組立図である。
【図３】本考案の立体分解図である。
【図４】本考案のキー本体の別角度からの立体外観図である。
【図５】本考案の使用状態指示図である。
【図６】本考案の使用状態断面図である。
【図７】本考案の開閉配列の一種の指示図である。
【図８】本考案の別の開閉配列別種の指示図である。
【符号の説明】
【００１２】
１０        キー本体
１１        第一面
１２        第二面
１３        差込段
１４        連接点
１５        接触点
１６        連接線
２０        遮蔽蓋
３０        シリンダー
３１        連通部
３２        孔槽
【図１】
0003117322.tif 000003
【図２】
0003117322.tif 000004
【図３】
0003117322.tif 000005
【図４】
0003117322.tif 000006
【図５】
0003117322.tif 000007
【図６】
0003117322.tif 000008
【図７】
0003117322.tif 000009
【図８】
0003117322.tif 000010